(57)【要約】      （修正有）【課題】茶葉の処理が容易なこし器を有した容器を提供する。【解決手段】容器１０は、茶葉及び液体を受け入れ、飲み口を有する本体１と、本体１内に設けられた茶こし２と、この茶こし２の長手方向に設けられた複数のスリットとを備え、茶こしは、合成樹脂で形成され、スリットの長手方向に直交する方向に引っ張ると、スリットの横幅が広がるものである。スリットの横幅が広がるため、茶こしのスリットに詰まった茶葉の除去が容易となる。【選択図】図９
2020199238.tif 000002
【特許請求の範囲】
【請求項１】
茶葉及び液体を受け入れ、飲み口を有する本体と、
前記本体内に設けられた茶こしと、
この茶こしの長手方向に設けられた複数のスリットとを備え、
前記茶こしは、合成樹脂で形成され、前記スリットの長手方向に直交する方向に引っ張ると、前記スリットの横幅が広がるものであり、
前記本体の外側に位置する底部の中心を含むと共に、前記底部を横断するように設けられた平坦部と、
この平坦部の横断する一辺から前記底部の外縁に向かうと共に、登り勾配に設けられた第１の傾斜部と、
前記平坦部の横断する他の一辺から前記底部の外縁に向かうと共に、登り勾配に設けられた第２の傾斜部とを備え、
平坦な載置面に前記平坦部が当接した時、前記第１の傾斜部及び前記第２の傾斜部が前記載置面から離間し、
前記載置面に前記第１の傾斜部が当接した時、前記平坦部及び前記第２の傾斜部が前記載置面から離間し、
前記載置面に前記第２の傾斜部が当接した時、前記平坦部及び前記第１の傾斜部が前記載置面から離間する
ことを特徴とする容器。
【請求項２】
茶葉及び液体を受け入れ、飲み口を有する本体と、
前記本体内に設けられた茶こしと、
この茶こしの長手方向に設けられた複数のスリットとを備え、
前記茶こしは、合成樹脂で形成され、前記スリットの長手方向に直交する方向に引っ張ると、前記スリットの横幅が広がるものであり、
前記本体の外側に位置し、底部を横断するように設けられた稜線部と、
この稜線部から前記底部の外縁に向かうと共に、登り勾配に設けられた第１の傾斜部と、
前記稜線部から前記底部の外縁に向かう方向と逆方向に向かうと共に、登り勾配に設けられた第２の傾斜部とを備え、
前記載置面に前記第１の傾斜部が当接した時、前記第２の傾斜部が前記載置面から離間し、
前記載置面に前記第２の傾斜部が当接した時、前記第１の傾斜部が前記載置面から離間する
ことを特徴とする容器。
【請求項３】
茶葉及び液体を受け入れ、飲み口を有する本体と、
前記本体内に設けられた茶こしと、
この茶こしの長手方向に設けられた複数のスリットとを備え、
前記茶こしは、合成樹脂で形成され、前記スリットの長手方向に直交する方向に引っ張ると、前記スリットの横幅が広がるものであり、
前記本体の底部外形が、正面視、前記底部外形の中心に向かって先細り形状であり、
平坦部は、少なくとも、横断する一辺と横断する他の一辺とを有し、
前記横断する一辺と前記横断する他の一辺は、平行であり、
前記横断する一辺と前記横断する他の一辺との間の底部は、前記横断する一辺及び前記横断する他の一辺より突出しないジグザグ形状である
ことが特徴とする容器。
【請求項４】
茶葉及び液体を受け入れ、飲み口を有する本体と、
前記本体内に設けられた茶こしとを備え、
前記本体の外側に位置する底部の中心を含むと共に、前記底部を横断するように設けられた平坦部と、
この平坦部の横断する一辺から前記底部の外縁に向かうと共に、登り勾配に設けられた第１の傾斜部と、
前記平坦部の横断する他の一辺から前記底部の外縁に向かうと共に、登り勾配に設けられた第２の傾斜部とを備え、
平坦な載置面に前記平坦部が当接した時、前記第１の傾斜部及び前記第２の傾斜部が前記載置面から離間し、
前記載置面に前記第１の傾斜部が当接した時、前記平坦部及び前記第２の傾斜部が前記載置面から離間し、
前記載置面に前記第２の傾斜部が当接した時、前記平坦部及び前記第１の傾斜部が前記載置面から離間する
ことを特徴とする容器。
【請求項５】
茶葉及び液体を受け入れ、飲み口を有する本体と、
前記本体内に設けられた茶こしとを備え、
前記茶こしは、合成樹脂で形成され、前記スリットの長手方向に直交する方向に引っ張ると、前記スリットの横幅が広がるものであり、
前記本体の底部外形が、正面視、前記底部外形の中心に向かって先細り形状であり、
平坦部は、少なくとも、横断する一辺と横断する他の一辺とを有し、
前記横断する一辺と前記横断する他の一辺は、平行であり、
前記横断する一辺と前記横断する他の一辺との間の底部は、前記横断する一辺及び前記横断する他の一辺より突出しないジグザグ形状である
ことが特徴とする容器。
【発明の詳細な説明】
【技術分野】
【０００１】
本発明は、容器に係り、特に、茶葉の処理が容易なこし器を有した容器に関する。
【背景技術】
【０００２】
本件発明者は、先に、 茶葉及び液体を受け入れ、飲み口を有する本体と、前記飲み
口を横断するように設けられた堰と、この堰の長手方向に沿って垂直方向に設けられた複
数のスリットと、を備えた容器を開示した（例えば、特許文献参照）。
【先行技術文献】
【特許文献】
【０００３】
【特許文献１】特開２０１７−６４１２号公報
【発明の概要】
【発明が解決しようとする課題】
【０００４】
ところが、上記容器の使用後、茶葉を処理する際、スリットに茶葉が詰まって、処理
に、時間がかかるという問題点があった。
【０００５】
本発明は、上記問題点を除去するようにした茶葉の処理が容易なこし器を有した容器
を提供することを目的とする。
【課題を解決するための手段】
【０００６】
請求項１記載の容器は、茶葉及び液体を受け入れ、飲み口を有する本体と、前記本体内に設けられた茶こしと、この茶こしの長手方向に設けられた複数のスリットとを備え、前記茶こしは、合成樹脂で形成され、前記スリットの長手方向に直交する方向に引っ張ると、前記スリットの横幅が広がるものであり、前記本体の外側に位置する底部の中心を含むと共に、前記底部を横断するように設けられた平坦部と、この平坦部の横断する一辺から前記底部の外縁に向かうと共に、登り勾配に設けられた第１の傾斜部と、前記平坦部の横断する他の一辺から前記底部の外縁に向かうと共に、登り勾配に設けられた第２の傾斜部とを備え、平坦な載置面に前記平坦部が当接した時、前記第１の傾斜部及び前記第２の傾斜部が前記載置面から離間し、前記載置面に前記第１の傾斜部が当接した時、前記平坦部及び前記第２の傾斜部が前記載置面から離間し、前記載置面に前記第２の傾斜部が当接した時、前記平坦部及び前記第１の傾斜部が前記載置面から離間するものである。
【０００７】
また、請求項２記載の容器は、茶葉及び液体を受け入れ、飲み口を有する本体と、前記本体内に設けられた茶こしと、この茶こしの長手方向に設けられた複数のスリットとを備え、前記茶こしは、合成樹脂で形成され、前記スリットの長手方向に直交する方向に引っ張ると、前記スリットの横幅が広がるものであり、前記本体の外側に位置し、底部を横断するように設けられた稜線部と、この稜線部から前記底部の外縁に向かうと共に、登り勾配に設けられた第１の傾斜部と、前記稜線部から前記底部の外縁に向かう方向と逆方向に向かうと共に、登り勾配に設けられた第２の傾斜部とを備え、前記載置面に前記第１の傾斜部が当接した時、前記第２の傾斜部が前記載置面から離間し、前記載置面に前記第２の傾斜部が当接した時、前記第１の傾斜部が前記載置面から離間するものである。
【０００８】
また、請求項３記載の容器は、茶葉及び液体を受け入れ、飲み口を有する本体と、前記本体内に設けられた茶こしと、この茶こしの長手方向に設けられた複数のスリットとを備え、前記茶こしは、合成樹脂で形成され、前記スリットの長手方向に直交する方向に引っ張ると、前記スリットの横幅が広がるものであり、前記本体の底部外形が、正面視、前記底部外形の中心に向かって先細り形状であり、平坦部は、少なくとも、横断する一辺と横断する他の一辺とを有し、前記横断する一辺と前記横断する他の一辺は、平行であり、前記横断する一辺と前記横断する他の一辺との間の底部は、前記横断する一辺及び前記横断する他の一辺より突出しないジグザグ形状である。
【０００９】
また、請求項４記載の容器は、茶葉及び液体を受け入れ、飲み口を有する本体と、前記本体内に設けられた茶こしとを備え、前記本体の外側に位置する底部の中心を含むと共に、前記底部を横断するように設けられた平坦部と、この平坦部の横断する一辺から前記底部の外縁に向かうと共に、登り勾配に設けられた第１の傾斜部と、前記平坦部の横断する他の一辺から前記底部の外縁に向かうと共に、登り勾配に設けられた第２の傾斜部とを備え、平坦な載置面に前記平坦部が当接した時、前記第１の傾斜部及び前記第２の傾斜部が前記載置面から離間し、前記載置面に前記第１の傾斜部が当接した時、前記平坦部及び前記第２の傾斜部が前記載置面から離間し、前記載置面に前記第２の傾斜部が当接した時、前記平坦部及び前記第１の傾斜部が前記載置面から離間するものである。
【００１０】
また、請求項５記載の容器は、茶葉及び液体を受け入れ、飲み口を有する本体と、前記本体内に設けられた茶こしとを備え、前記茶こしは、合成樹脂で形成され、前記スリットの長手方向に直交する方向に引っ張ると、前記スリットの横幅が広がるものであり、前記本体の底部外形が、正面視、前記底部外形の中心に向かって先細り形状であり、平坦部は、少なくとも、横断する一辺と横断する他の一辺とを有し、前記横断する一辺と前記横断する他の一辺は、平行であり、前記横断する一辺と前記横断する他の一辺との間の底部は、前記横断する一辺及び前記横断する他の一辺より突出しないジグザグ形状である。
【発明の効果】
【００１１】
請求項１記載の容器によれば、茶こしは、合成樹脂で形成され、長手方向に直交する
方向に引っ張ると、スリットの横幅が広がるため、茶こしのスリットに詰まった茶葉の除
去が容易となる。
【００１２】
また、請求項１記載の容器によれば、平坦な載置面に平坦部が当接した状態、載置面に第１の傾斜部が当接した状態、載置面に第２の傾斜部が当接した状態の三態様を取ることができ、使用者の好みの茶葉の浸漬状態に対応することができる。
【００１３】
また、請求項２記載の容器によれば、載置面に第１の傾斜部が当接した状態、載置面に第２の傾斜部が当接した状態の二態様を取ることができ、使用者の好みの茶葉の浸漬状態に対応することができる。
【００１４】
また、請求項４記載の容器によれば、平坦な載置面に平坦部が当接した状態、載置面に第１の傾斜部が当接した状態、載置面に第２の傾斜部が当接した状態の三態様を取ることができ、使用者の好みの茶葉の浸漬状態に対応することができる。
【００１５】
また、請求項５記載の容器によれば、本体が底部に向かって先細り形状であり、平坦部は、少なくとも、横断する一辺と横断する他の一辺とを有し、前記横断する一辺と前記横断する他の一辺は、平行であり、前記横断する一辺と前記横断する他の一辺との間の底部は、前記横断する一辺及び前記横断する他の一辺より突出しないジグザグ形状であるため、載置面に底部が上になるように容器を置けば、容器が富士山形状を想起させる効果を有する。
【図面の簡単な説明】
【００１６】
【図１】図１は、本願発明の一実施例の容器の概略的正面図である。
【図２】図２は、図１の概略的背面図で、点線で示した部位は取っ手である。
【図３】図３は、図１の概略的平面図で、点線で示した部位はこし器と取っ手である。
【図４】図４は、図１の概略的底面図で、点線で示した部位は取っ手である。
【図５】図５は、図１の概略的右側面図で、点線で示した部位は取っ手である。
【図６】図６は、図１の概略的左側面図で、点線で示した部位は取っ手である。
【図７】図７は、図３のＡ−Ａ線による概略的断面図である。
【図８】図８は、図３のＢ−Ｂ線による概略的断面図である。
【図９】図９は、図１の容器の概略的斜視図で、点線で示した部位はこし器と取っ手である。
【図１０】図１０は、図９のこし器の取り付け前の状態の概略的斜視図である。
【図１１】図１１は、図１の容器の使用状態を示す概略的図である。
【図１２】図１２は、図１１の使用状態と異なる使用状態の概略的図である。
【図１３】図１３は、図１２の使用状態と異なる使用状態の概略的図である。
【図１４】図１４は、図１１の概略的断面図である。
【図１５】図１５は、図１２の概略的断面図である。
【図１６】図１６は、図１のこし器の実施品を撮影した写真である。
【図１７】図１７は、図１６のこし器を背面側から撮影した写真である。
【図１８】図１８は、図１６のこし器を左側面側から撮影した写真である。
【図１９】図１９は、図１７のこし器を指に保持した状態を撮影した写真である。
【図２０】図２０は、図１９のこし器のスリットの長手方向に直交する方向に引っ張り、前記スリットの横幅が広がった状態を撮影した写真である。
【図２１】図２１は、図１の容器と異なる他の実施例の容器の概略的図である。
【図２２】図２２は、図１及び図２１の容器と異なる他の実施例の容器の概略的図である。
【図２３】図２３は、図２２の容器の底部が上となるように、載置面に容器を置いた状態の概略的図である。
【発明を実施するための形態】
【００１７】
本発明の一実施例の容器を図面（図１乃至図２０）を参照して説明する。
図１に示す１０は容器で、容器１０は、茶葉及び液体を受け入れ、飲み口を有する本
体１を有している。図３に破線で示す２は本体１内に設けられた茶こしで、茶こし２には
、長手方向に設けられた複数のスリット２１がある。図３に破線（本来は、実線で示すべ
き）で示す３は、取っ手である。
【００１８】
本体１は、茶こし２により、第１の室１Ａと第２の室１Ｂに区画され、第２の室１Ｂ
の容積は、第１の室１Ａの容積より大きく、茶葉は、容積が小さい側の第１の室１Ａ内に
入れられるようにしている（図３及び図７参照）。
そして、茶こし２は、図７に示すように、側面視、逆Ｌ字形状で、複数のスリット２
１、２１は、図１６及び図１７に示すように、平行に隣接して設けられ、複数のスリット
２１、２１を構成するスリットは、直線状に形成された第１のスリット２１Ａと、直線状
に形成された第２のスリット２１Ｂと、この第２のスリット２１Ｂと第１のスリット２１
Ａとは、屈曲した屈曲部で連通している。
茶こし２（図１６乃至図２０参照）は、合成樹脂で形成され、長手方向に直交する方
向に引っ張ると、図１９及び図２０に示すように、スリット２１の横幅が広がるため、茶
こし２のスリット２１に詰まった茶葉の除去が容易となる。
【００１９】
本体１の外側の底部には、図１に示すように、本体１の外側に位置する底部の中心を
含むと共に、前記底部を横断するように設けられた平坦部１Ｃと、この平坦部１Ｃの横断
する一辺１Ｃ１から前記底部の外縁に向かうと共に、登り勾配に設けられた第１の傾斜部
１Ｄと、平坦部１Ｃの横断する他の一辺１Ｃ２から前記底部の外縁に向かうと共に、登り
勾配に設けられた第２の傾斜部１Ｅとを備えている。
【００２０】
そして、図１３に示す平坦な載置面１００に平坦部１Ｃが当接した時、第１の傾斜部
１Ｄ及び第２の傾斜部１Ｅが載置面１００から離間する。
また、図１４に示すように、載置面１００に第１の傾斜部１Ｄが当接した時、平坦部
１Ｃ及び第２の傾斜部１Ｅが載置面１００から離間し、また、図１５に示すように、載置
面１００に第２の傾斜部１Ｅが当接した時、平坦部１Ｃ及び第１の傾斜部１Ｄが載置面１
００から離間する。
このように、本体１の傾斜を図１３〜図１５に示すように、可変としたのは、例えば
、図１４、図１５に示すように、同じ量の液体（例えば、お湯）でも、茶葉への液体の浸
漬量を簡易に変えることにより、飲む人の好みに対応できるようにしている。
【００２１】
なお、上述した実施例では、容器１０の本体１の外側に位置する底部の中心を含むと
共に、前記底部を横断するように設けられた平坦部１Ｃと、この平坦部１Ｃの横断する一
辺１Ｃ１から前記底部の外縁に向かうと共に、登り勾配に設けられた第１の傾斜部１Ｄと
、平坦部１Ｃの横断する他の一辺１Ｃ２から前記底部の外縁に向かうと共に、登り勾配に
設けられた第２の傾斜部１Ｅとを備えたが、本願発明にあっては、これに限らず、例えば
、図２１に示すように、平坦部１Ｃを無くし、本体１の外側に位置し、底部を横断するよ
うに設けられた稜線部１Ｃ’と、この稜線部１Ｃ’から前記底部の外縁に向かうと共に、
登り勾配に設けられた第１の傾斜部１Ｄと、稜線部１Ｃ’から前記底部の外縁に向かう方
向と逆方向に向かうと共に、登り勾配に設けられた第２の傾斜部１Ｅとを備え、載置面（
図示しないが、図１４記載の載置面１００）に第１の傾斜部１Ｄが当接した時、第２の傾
斜部１Ｅが載置面（図示しないが、図１４記載の載置面１００）から離間し、載置面（図
示しないが、図１５記載の載置面１００）に第２の傾斜部１Ｅが当接した時、第１の傾斜
部１Ｄが載置面（図示しないが、図１５記載の載置面１００）から離間する。
【００２２】
次に、図２２及び図２３を参照して容器１０を説明する。
本体１は、上述した実施例（図１乃至図２０）と同様に、本体１０の底部外形が、正
面視、前記底部外形の中心に向かって先細り形状であり、平坦部１Ｃは、少なくとも、横
断する一辺１Ｃ１と横断する他の一辺１Ｃ２とを有し、横断する一辺１Ｃ１と横断する他
の一辺１Ｃ２は、平行であり、横断する一辺１Ｃ１と横断する他の一辺１Ｃ２との間の底
部は、横断する一辺１Ｃ１及び横断する他の一辺１Ｃ２より突出しないジグザグ形状であ
る。なお、本体１の内部、つまり、茶こし２は、上述した実施例と同様である。
そのため、図２３に示すように、載置面１００に底部が上になるように容器１０を置
けば、容器１０が富士山形状を想起させる効果を有する。
【符号の説明】
【００２３】
１０      容器
１        本体
２        茶こし
２１      スリット
【図１】
2020199238.tif 000003
【図２】
2020199238.tif 000004
【図３】
2020199238.tif 000005
【図４】
2020199238.tif 000006
【図５】
2020199238.tif 000007
【図６】
2020199238.tif 000008
【図７】
2020199238.tif 000009
【図８】
2020199238.tif 000010
【図９】
2020199238.tif 000011
【図１０】
2020199238.tif 000012
【図１１】
2020199238.tif 000013
【図１２】
2020199238.tif 000014
【図１３】
2020199238.tif 000015
【図１４】
2020199238.tif 000016
【図１５】
2020199238.tif 000017
【図１６】
2020199238.tif 000018
【図１７】
2020199238.tif 000019
【図１８】
2020199238.tif 000020
【図１９】
2020199238.tif 000021
【図２０】
2020199238.tif 000022
【図２１】
2020199238.tif 000023
【図２２】
2020199238.tif 000024
【図２３】
2020199238.tif 000025